(57)【特許請求の範囲】
【請求項１】
第１面を有した第１樹脂部材と、
前記第１面と対向する第２面を有した第２樹脂部材とを備え、
前記第１面に掛け留め部と軸支部とを備え、
前記第２面に片持ち梁状の樹脂ばねを備え、
前記第１面と前記第２面とのいずれか一方に留め歯を備え、
前記樹脂ばねは、前記第２面から前記第１面に向けて立つ固定端から前記樹脂ばねの自由端まで前記第２面に沿って延び、前記自由端が前記掛け留め部に掛けられ、かつ、前記固定端が前記軸支部に支持され、それによって、前記第２面と前記第１面とを相互に近付ける方向に付勢可能とし、
前記留め歯は、前記第１樹脂部材と前記第２樹脂部材との隙間に入るバンド端部を、前記バンド端部の延在方向に沿って並ぶ調整歯のなかで相互に隣接する調整歯の隙間に前記樹脂ばねの付勢によって前記留め歯を嵌めることによって留め、前記付勢に抗した操作力が前記固定端を傾動中心として前記第２面を前記第１面に対して相対的に傾動させるときに前記嵌めることを解除する
ヘッドバンド用留め具。
【請求項２】
前記第１樹脂部材が前記第１面よりも前記第２面側に規制部をさらに備え、
前記第２樹脂部材が前記規制部よりも前記第１面側に被規制部をさらに備え、
前記第１樹脂部材と前記第２樹脂部材との隙間の大きさのなかで前記バンド端部が前記隙間から抜け出ることを可能とした大きさが傾動許容範囲であり、
前記第２面が前記第１面に対して相対的に傾動して前記隙間の大きさが前記傾動許容範囲の最大値に到達したときに前記規制部と前記被規制部とが当接し、前記隙間の大きさが前記傾動許容範囲を超えることを前記規制部と前記被規制部とが止める
請求項１に記載のヘッドバンド用留め具。
【請求項３】
前記第２樹脂部材は、
前記自由端に対する前記固定端側とは反対側に前記第２面から前記第１面に向けて立つ前記留め歯であって、第１高さを有する前記留め歯と、
前記留め歯に対する前記自由端側とは反対側に前記第２面から前記第１面に向けて立つ
ガイドリブであって、前記第１高さよりも低い第２高さを有する前記ガイドリブとを備える
請求項１または２に記載のヘッドバンド用留め具。
【請求項４】
前記バンド端部を含むバンド本体部と、
請求項１から３のいずれか一項に記載のヘッドバンド用留め具とを備える
ヘルメット用ヘッドバンド。
【請求項５】
前記第１樹脂部材は、前記第１面を含む支持部と、前記支持部と一体である前記バンド本体部とを備える
請求項４に記載のヘルメット用ヘッドバンド。
【請求項６】
前記バンド本体部は、
前記バンド端部が前記ヘッドバンド用留め具に留められた状態で環形状を有し、
前記バンド端部は、
前記バンド端部の延在方向に延びる表面を有した帯状部と、
前記帯状部の表面に並ぶ複数の前記調整歯とを備え、
前記帯状部は、前記環形状に追従した曲面状を有し、
前記バンド端部は、相互に隣り合う前記調整歯の隙間を結び前記環形状に追従した曲線状を有する補強部を備える
請求項５に記載のヘルメット用ヘッドバンド。
【発明の詳細な説明】
【技術分野】
【０００１】
本発明は、ヘルメット用ヘッドバンドの締結に用いられるヘッドバンド用留め具、および、そのヘッドバンド用留め具を備えるヘルメット用ヘッドバンドに関する。
【背景技術】
【０００２】
ヘルメットは、ヘルメットの外殻を構成する半球状を有した帽体と、帽体やハンモックに取り付けられるヘルメット用ヘッドバンドとを備える。ヘルメット用ヘッドバンドの延在方向において、ヘルメット用ヘッドバンドにおける一方の端部は、ヘルメット用ヘッドバンドにおける他方の端部を留めるヘッドバンド用留め具を備える。例えば、特許文献１に記載されたヘッドバンド用留め具は、一方のバンド端部に位置する保持部と、保持部に保持されて保持部に向けて付勢されるバンド係止部材と、バンド係止部材に対して傾動可能に連結された解除部材とを備える。そして、保持部とバンド係止部材との間に位置する他方のバンド端部は、バンド係止部材による付勢によって保持部とバンド係止部材との間に留められる。この際、解除部材を傾動させる操作によってバンド係止部材に対する付勢が解除され、他方のバンド端部の位置がバンド係止部材に対して変わることによって、ヘルメット用ヘッドバンドが作る環の大きさが頭部の大きさに合わせられる。
【先行技術文献】
【特許文献】
【０００３】
【特許文献１】特開２０１３−１０２８３９号公報
【発明の概要】
【発明が解決しようとする課題】
【０００４】
ところで、上述したヘッドバンド用留め具は、保持部、バンド係止部材、および、解除部材の３つの部材を備えるため、これらの構成部材を管理する煩わしさを軽減することを目的として、ヘッドバンド用留め具を構成する部材の点数を少なくすることが望まれている。
【０００５】
本発明は、ヘッドバンド用留め具を構成する部材の点数を少なくすることを可能としたヘッドバンド用留め具、および、そのヘッドバンド用留め具を備えるヘルメット用ヘッドバンドを提供することを目的とする。
【課題を解決するための手段】
【０００６】
上記課題を解決するためのヘッドバンド用留め具は、第１面を有した第１樹脂部材と、前記第１面と対向する第２面を有した第２樹脂部材とを備え、前記第１面に掛け留め部と軸支部とを備え、前記第２面に片持ち梁状の樹脂ばねを備え、前記第１面と前記第２面とのいずれか一方に留め歯を備える。前記樹脂ばねは、前記第２面から前記第１面に向けて立つ固定端から前記樹脂ばねの自由端まで前記第２面に沿って延び、前記自由端が前記掛け留め部に掛けられ、かつ、前記固定端が前記軸支部に支持され、それによって、前記第２樹脂部材と前記第１樹脂部材とを相互に近付ける方向に付勢可能とする。そして、前記留め歯は、前記第１樹脂部材と前記第２樹脂部材との隙間に入るバンド端部を前記樹脂ばねの付勢による前記留め歯の押圧によって留め、前記付勢に抗した操作力が前記固定端を傾動中心として前記第２面を前記第１面に対して相対的に傾動させるときに前記押圧を解除する。
【０００７】
上記ヘッドバンド用留め具は、第１樹脂部材と第２樹脂部材との隙間からバンド端部が引き出されることを、樹脂ばねの付勢による留め歯の押圧によって抑え、樹脂ばねの付勢に抗した操作力の作用によって、第１樹脂部材と第２樹脂部材との隙間からバンド端部が引き出されることを許容する。そして、バンド端部に対する押圧とその解除とが２つの樹脂部材によって実現されるため、ヘッドバンド用留め具の部材の点数を少なくすることが可能である。
【０００８】
上記ヘッドバンド用留め具において、前記第１樹脂部材が前記第１面よりも前記第２面側に規制部をさらに備え、前記第２樹脂部材が前記規制部よりも前記第１面側に被規制部をさらに備えてもよい。前記第１樹脂部材と前記第２樹脂部材との隙間の大きさのなかで前記バンド端部が前記隙間から抜け出ることを可能とした大きさが傾動許容範囲である。そして、前記第２面が前記第１面に対して相対的に傾動して前記隙間の大きさが前記傾動許容範囲の最大値に到達するときに前記規制部と前記被規制部とが当接し、前記隙間の大きさが前記傾動許容範囲を超えることを前記規制部と前記被規制部とが止めてもよい。
【０００９】
上記ヘッドバンド用留め具によれば、第１面に対する第２面の相対的な傾動は、規制部と被規制部とが係合することによって、第１樹脂部材と第２樹脂部材との隙間が傾動許容範囲を超えないように規制される。それゆえに、第１樹脂部材と第２樹脂部材との隙間の大きさが過度な大きさとなること、ひいては、樹脂ばねの付勢に抗した操作力が樹脂ばねに対して過度に作用することが抑えられる。結果として、樹脂ばねの付勢に抗した作用力が過度に印加されることを抑えることが可能であるから、第１樹脂部材と第２樹脂部材との隙間からバンド端部を抜き去る操作を利用者に円滑に行わせることが可能となる。
【００１０】
上記ヘッドバンド用留め具において、前記第２樹脂部材は、前記自由端に対する前記固定端側とは反対側に前記第２面から前記第１面に向けて立つ前記留め歯であって、第１高さを有する前記留め歯を備えてもよい。そして、前記第２樹脂部材は、前記留め歯に対する前記自由端側とは反対側に前記第２面から前記第１面に向けて立つガイドリブであって、前記第１高さよりも低い第２高さを有する前記ガイドリブとを備えてもよい。
【００１１】
第１面に対して第２面が相対的に傾動するとき、第２樹脂部材のなかで自由端に近い領域では、第１樹脂部材と第２樹脂部材との隙間が広がる。このように隙間が広がる領域は、第１樹脂部材と第２樹脂部材との隙間のなかで、利用者の手によってバンド端部が挿し入れられる領域、また、利用者の手によってバンド端部が引き出される領域として適している。上記ヘッドバンド用留め具は、上述のような間隔が広がる領域に、第１高さを有する留め歯と、第１高さよりも低い第２高さを有するガイドリブとを備える。それゆえに、留め歯と対向する位置までバンド端部を挿し入れる操作、留め歯と対向する位置からバンド端部を抜き去る操作、これらの操作を容易なものとすることが可能となる。
【００１２】
上記課題を解決するためのヘルメット用ヘッドバンドは、前記バンド端部を含むバンド本体部と、上述したヘッドバンド用留め具とを備える。
上記ヘルメット用ヘッドバンドにおいて、前記第１樹脂部材は、前記第１面を含む支持部と、前記支持部と一体である前記バンド本体部とを備えてもよい。
上記ヘルメット用ヘッドバンドによれば、支持部とバンド本体部とが一体であるため、支持部とバンド本体部とが別々の部材である構成と比べて、ヘルメット用ヘッドバンドを構成する部材の点数を少なくすることが可能である。
【００１３】
上記ヘルメット用ヘッドバンドにおいて、前記バンド本体部は、前記バンド端部が前記ヘッドバンド用留め具に留められた状態で環形状を有し、前記バンド端部は、前記バンド端部の延在方向に延びる表面を有した帯状部と、前記帯状部の延在方向に沿って前記帯状部の表面に並ぶ複数の調整歯であって、相互に隣り合う前記調整歯の隙間に前記留め歯が嵌る前記調整歯とを備えてもよい。そして、前記帯状部は、前記環形状に追従した曲面状を有し、前記バンド端部は、相互に隣り合う前記調整歯の隙間を結び前記環形状に追従した曲線状を有する補強部を備えてもよい。
【００１４】
上記ヘルメット用ヘッドバンドによれば、バンド端部を構成する帯状部が環形状に追従した曲面状を有し、また、バンド端部を構成する複数の調整歯が同じく環形状に追従した曲線状を有する補強部によって結ばれる。それゆえに、バンド端部全体の有する形状を環形状に追従させることが容易であって、一方のバンド端部が有する形状を着用者の頭部の一部に整合性させる作業が容易でもある。
【発明の効果】
【００１５】
本発明によれば、ヘッドバンド用留め具の部材の点数を少なくすることが可能である。
【図面の簡単な説明】
【００１６】
【図１】ヘルメット用ヘッドバンドの側面構造を示す側面図。
【図２】ヘルメット用ヘッドバンドの平面構造を示す平面図。
【図３】ヘルメット用ヘッドバンドが備えるバンド端部の斜視構造を示す斜視図。
【図４】ヘルメット用ヘッドバンドが備えるバンド端部同士が留められた状態を帽体と共に示す側面図。
【図５】ヘッドバンド用留め具が備える操作体を対向面と対向する方向から見た斜視構造を示す斜視図。
【図６】操作体と支持体との隙間にバンド端部が挿し入れられた状態を示す平面図であって操作体とバンド端部とを示す図。
【図７】操作体と支持体との隙間にバンド端部が挿し入れられた状態を示す正面図であって操作体とバンド端部とを示す図。
【図８】ヘッドバンド用留め具が備える支持体を支持面と対向する方向から見た斜視構造を示す斜視図。
【図９】操作体と支持体との隙間にバンド端部が挿し入れられた状態を示す斜視図であって支持体とバンド端部とを示す図。
【図１０】掛け留め部と樹脂ばねとの関係、および、規制部と被規制部との関係を示す平断面図。
【図１１】掛け留め部と樹脂ばねとの関係、および、規制部と被規制部との関係を示す平断面図。
【図１２】変形例におけるヘルメット用ヘッドバンドの分解斜視構造を示す図であって操作体を対向面から見た図。
【発明を実施するための形態】
【００１７】
ヘッドバンド用留め具、および、それを備えるヘルメット用ヘッドバンドを具体化した一実施の形態を以下に示す。
［ヘルメット用ヘッドバンド］
【００１８】
図１が示すように、ヘルメット用ヘッドバンドは、可撓性を有したバンド本体部１０と、バンド本体部１０と一体である可撓性を有した４つの取付部２０とを備える。ヘルメット用ヘッドバンドは、例えば、低密度ポリエチレン（ＬＤＰＥ）、直鎖状低密度ポリエチレン（Ｌ−ＬＤＰＥ）、高密度ポリエチレン（ＨＤＰＥ）、ポリプロピレン（ＰＰ）、ポリアセタール（ＰＯＭ）、ポリアミド（ＰＡ）、熱可塑性エラストマー（ＴＰＥ）、シリコーン樹脂などの樹脂から形成される。
【００１９】
バンド本体部１０は、バンド中央部１１と、バンド中央部１１を挟む左右一対のバンド連結部１２と、一対のバンド連結部１２を挟む左右一対のバンド端部１３,１４とを備える。一方のバンド端部１３は、そのバンド端部１３の延在方向に沿って延びる表面を有した帯状部１３Ａと、帯状部１３Ａの表面に並ぶ複数の調整歯１３Ｂとを備える。他方のバンド端部１４は、調整歯１３Ｂと噛み合うヘッドバンド用留め具（以下、単にバンド留め具４０という）を備える。各バンド端部１３，１４は、バンド本体部１０の端部を構成すると共に、調整歯１３Ｂとバンド留め具４０との噛み合わせによって相互に連結する。
【００２０】
一方のバンド連結部１２は、一方のバンド端部１３と、バンド中央部１１における一方の端とを連結するラダー状を有する。他方のバンド連結部１２もまた、他方のバンド端部１４と、バンド中央部における他方の端とを連結するラダー状を有する。
【００２１】
バンド中央部１１は、バンド中央部１１の延在方向Ａ１に延びるラダー状を有する。バンド中央部１１は、上下一対の中央フレーム１５Ａ，１５Ｂと、一対の中央フレーム１５Ａ，１５Ｂを架橋する複数の中央架橋フレーム１６とを備える。吊下げ部の一例である２つの取付部２０は、バンド中央部１１の中心軸Ｃを挟み、上側中央フレーム１５Ｂから上方に向けて延びている。
【００２２】
下側中央フレーム１５Ａは、下方に向けて凸となる緩やかな弧を描く細線状を有する。上側中央フレーム１５Ｂは、それの延在方向Ａ１における中央部で、下側中央フレーム１５Ａに対する相似形を有し、それの延在方向Ａ１における両端部で、下側中央フレーム１５Ａよりも小さい曲率半径を有した弧を描く波線状を有する。各中央架橋フレーム１６は、一対の中央フレーム１５Ａ，１５Ｂよりも厚さが薄い細線状を有し、一対の中央フレーム１５Ａ，１５Ｂの間の距離を維持する機能を有する。
【００２３】
下側中央フレーム１５Ａのなかで中央架橋フレーム１６が接続する部位は、上側中央フレーム１５Ｂのなかでその中央架橋フレーム１６が接続する部位よりもバンド中央部１１の中心軸Ｃに近い。言い換えれば、バンド中央部１１の中心軸Ｃを挟み左右一対となる中央架橋フレーム１６は、バンド中央部１１の中心軸Ｃ上に屈曲部を有したＶ字上に位置する。
【００２４】
こうした各中央架橋フレーム１６の配置によれば、各中央架橋フレーム１６が単に中心軸Ｃに沿って延びる構成と比べて、上側中央フレーム１５Ｂが下側中央フレーム１５Ａよりも引き延ばされることを、各中央架橋フレーム１６がそれの変形によって許容しやすい。
【００２５】
各バンド連結部１２は、バンド中央部１１の延在方向Ａ１と交差するラダー状を有する。各バンド連結部１２は、上下一対の連結フレーム１７Ａ，１７Ｂと、一対の連結フレーム１７Ａ，１７Ｂを架橋する３つの架橋フレーム１８とを備える。
【００２６】
図１の左側に位置する下側連結フレーム１７Ａは、下側中央フレーム１５Ａの左端と一体であり、左上方に向けて凸となる弧を描く細線状を有する。図１の左側に位置する上側連結フレーム１７Ｂは、上側中央フレーム１５Ｂの左端と一体であり、これもまた左上方に向けて凸となる弧であって、下側連結フレーム１７Ａよりも大きい曲率半径を有した弧を描く細線状を有する。吊下げ部の一例である１つの取付部２０は、この上側連結フレーム１７Ｂから左上方に向けて延びている。
【００２７】
図１の右側に位置する下側連結フレーム１７Ａは、下側中央フレーム１５Ａの右端と一体であり、右上方に向けて凸となる弧を描く細線状を有する。図１の右側に位置する上側連結フレーム１７Ｂは、上側中央フレーム１５Ｂの右端と一体であり、これもまた右上方に向けて凸となる弧であって、下側連結フレーム１７Ａよりも大きい曲率半径を有した弧を描く細線状を有する。吊下げ部の一例である１つの取付部２０は、この上側連結フレーム１７Ｂから右上方に向けて延びている。
【００２８】
各バンド連結部１２において、各架橋フレーム１８は、一対の連結フレーム１７Ａ，１７Ｂよりも厚さが薄い細線状を有し、一対の連結フレーム１７Ａ，１７Ｂの間の距離を維持する機能を有する。ヘルメット用ヘッドバンドは、中心軸Ｃに対してほぼ線対称となる形状を有し、各架橋フレーム１８もまた、中心軸Ｃに対してほぼ線対称となる形状を有し、かつ、バンド中央部１１の延在方向Ａ１に沿って延びる直線状を有する。
【００２９】
図２が示すように、ヘルメット用ヘッドバンドの平面視において、バンド中央部１１と左右一対のバンド連結部１２とは、バンド中央部１１の延在方向Ａ１に沿って延びる直線状を有する。これに対して、左右一対のバンド端部１３，１４は、バンド中央部１１の延在方向Ａ１と直交する内側方向Ａ２において凹となる緩やかな曲線状を有する。
【００３０】
バンド本体部１０は、一方のバンド端部１３が有する調整歯１３Ｂと、他方のバンド端部１４が有するバンド留め具４０とが噛み合い、一対のバンド端部１３,１４が相互に連結された状態で環形状を有する。一方のバンド端部１３が有する帯状部１３Ａは、可撓性を有すると共に、外部からの応力が取り除かれた状態では、バンド本体部１０が作る環形状に追従した曲面状を有する弾性を有する。他方のバンド端部１４もまた、可撓性を有すると共に、外部からの応力が取り除かれた状態では、バンド本体部１０が作る環形状に追従した曲面状を有する弾性を有する。
【００３１】
バンド端部１４が有するバンド留め具４０は、第２樹脂部材の一例である操作体４１と、第１樹脂部材の一例であってバンド連結部１２と一体である支持体５１とを備え、これら操作体４１および支持体５１の各々の外形が上述したほぼ曲面状を有する。操作体４１を形成する樹脂と、支持体５１を形成する樹脂とは、相互に同じ材料であってもよいし、相互に異なる材料であってもよい。そして、操作体４１と支持体５１との隙間にバンド端部１３が挿し入れられることによって、２つのバンド端部１３,１４が相互に留まる。また、操作体４１と支持体５１との隙間からバンド端部１３が引き出されることによって、２つのバンド端部１３,１４が相互に離れる。
【００３２】
図３が示すように、一方のバンド端部１３は、バンド端部１３の延在方向に沿って延びる表面を有した帯状部１３Ａと、帯状部１３Ａの表面に並ぶ複数の調整歯１３Ｂとを備える。各調整歯１３Ｂは、バンド端部１３の幅方向ＡＷから見て、帯状部１３Ａの表面から内側方向Ａ２とはほぼ反対方向に向けて細くなる三角形状を有する。また、バンド端部１３の延在方向から見て、帯状部１３Ａが有する長さはバンド幅Ｗであり、各調整歯１３Ｂは、先端に向けてバンド幅Ｗから徐々に小さくなる形状を有する。
【００３３】
バンド端部１３は、バンド本体部１０が作る環形状に追従した曲線状を有する補強部１３Ｔを備える。補強部１３Ｔは、各調整歯１３Ｂの幅方向ＡＷにおけるほぼ中央に対して、相互に隣り合う調整歯１３Ｂを連結すると共に、帯状部１３Ａの表面からは、調整歯１３Ｂが有する歯高Ｔとほぼ同じ高さを有する。言い換えれば、バンド端部１３を構成する各調整歯１３Ｂは、それとほぼ同じ高さを有し、かつ、環形状に追従した曲線状を有する補強部１３Ｔによって連結される。
【００３４】
こうしたバンド端部１３の構造であれば、帯状部１３Ａの厚みが薄い構造であっても、バンド端部１３の全体における形状を上記環形状に追従させることが容易であり、また、各調整歯１３Ｂが帯状部１３Ａに対して倒れることを抑えることが可能でもある。そして、バンド本体部１０が全体として可撓性を有する一方で、それのなかでも、バンド中央部１１やバンド連結部１２と比べ、バンド端部１３はそれの形状の保持性を補強部１３Ｔの剛性によって高められる。
［ヘルメット］
【００３５】
図４が示すように、ヘルメットは、中空半球状を有した帽体３０と、ヘルメット用ヘッドバンドとを含む。ヘルメット用ヘッドバンドが取り付けられる対象である取付対象は、例えば、帽体３０に装着されるハンモックなどの内装物であってもよいし、帽体３０そのものであってもよい。
【００３６】
各取付部２０は、帯状を有した取付本体部２１と、取付本体部２１の先端に位置する取付環状部２２と、取付可撓部２３と、留め部２４とを備える。取付可撓部２３は、取付環状部２２と一体である固定端を有し、かつ、取付環状部２２の環内に自由端を有する片持ち梁状を有する。留め部２４は、取付可撓部２３の自由端に位置し、取付対象が備える被取付部に留まる構造を有していればよい。
【００３７】
取付部２０の先端に位置する取付可撓部２３は、取付可撓部２３と取付環状部２２との隙間を用い、取付部２０に対する被取付部の相対的な位置に合わせて、撓んだり捩れたりする。例えば、延在方向Ａ１に沿った軸を中心とする撓み方向Ｄ２に沿って取付可撓部２３は撓み、また、幅方向ＡＷに沿った軸を中心とする捩じれ方向Ｄ１に沿って取付可撓部２３は捩じれる。それゆえに、ヘルメット用ヘッドバンドに対する取付対象の相対的な位置を、ヘルメット用ヘッドバンドは広い範囲で変えることが可能である。
【００３８】
また、ラダー状を有した各バンド連結部１２は、バンド中央部１１を含む面ＳＨ内から下方に向けて突き出るように延びる。一方で、各バンド連結部１２に含まれる架橋フレーム１８は、バンド中央部１１を含む面ＳＨとほぼ平行な方向、詳しくは、帽体３０のほぼ周方向に延びる。そして、各バンド連結部１２においては、各架橋フレーム１８がバンド中央部１１を含む面とほぼ平行な剛体である。そのため、各バンド連結部１２に含まれる一対の連結フレーム１７Ａ，１７Ｂに対しては、これらに共通する折れ線として架橋フレーム１８が機能し得る。結果として、架橋フレーム１８を折れ線とする折れ曲がり方向Ｄ３に沿って、各バンド連結部１２は折れ曲がりやすい。それゆえに、着用者の頭部の形状とヘルメット用ヘッドバンドの形状との整合性を高めること、特に、着用者の後頭部の位置とバンド端部１３，１４の位置との整合性を高めることが可能でもある。
［バンド留め具４０］
【００３９】
図５が示すように、操作体４１は、１つの方向に延びるほぼ矩形板状を有した操作本体４２を備え、操作本体４２が有する１つの側面は、第２面の一例であって支持体５１と対向した対向面４２Ｓである。操作本体４２の延びる方向は、挿入方向Ｋ１であってバンド端部１４の延在方向でもある。操作体４１から支持体５１に向く方向は、対向方向Ｋ２であって挿入方向Ｋ１とほぼ直交する。
【００４０】
操作本体４２における挿入方向Ｋ１の先端縁は、対向面４２Ｓから対向方向Ｋ２に向けて立つガイド壁４２Ｂを備える。ガイド壁４２Ｂは、それの幅方向ＡＷの中央に、挿通幅Ｗ４１を有した挿通溝４２Ｈを有する。挿通溝４２Ｈが有する挿通幅Ｗ４１は、上述したバンド幅Ｗよりも大きく、バンド端部１３が挿通溝４２Ｈを通過することを可能とした大きさである。
【００４１】
操作本体４２における挿入方向Ｋ１の基端縁は、操作端部４２Ａである。操作端部４２Ａは、バンド留め具４０による締結やその解除が行われる操作部であって、バンド留め具４０と噛み合うバンド端部１３がバンド留め具４０から抜き去られるときには、支持体５１から離れる方向、すなわち、対向方向Ｋ２とは反対方向へ動かされる。
【００４２】
対向面４２Ｓには、それの幅方向ＡＷにおける中央に、挿入方向Ｋ１に延びる上下一対の第１ガイドリブＧ１と、同じく挿入方向Ｋ１に延びる上下一対の第２ガイドリブＧ２と、同じく挿入方向Ｋ１に延び、かつ、上下一対の第２ガイドリブＧ２を挟む第３ガイドリブＧ３とを備える。
【００４３】
上下一対の第１ガイドリブＧ１は、対向面４２Ｓにおける挿入方向Ｋ１のほぼ中央からガイド壁４２Ｂまで挿入方向Ｋ１に沿って延びる突条である。上下一対の第２ガイドリブＧ２は、対向面４２Ｓにおける操作端部４２Ａの近傍に位置し、幅方向ＡＷにおいては、上下一対の第１ガイドリブＧ１とほぼ同じ位置に配置された突条である。上下一対の第３ガイドリブＧ３は、これもまた対向面４２Ｓにおける操作端部４２Ａの近傍に位置し、挿入方向Ｋ１においては、上下一対の第２ガイドリブＧ２とほぼ同じ位置に配置される突条である。
【００４４】
各第１ガイドリブＧ１が有する高さであるリブ高さのうち、挿入方向Ｋ１に沿ってほぼ一定となる値が、第１リブ高さＨＧ１である。各第２ガイドリブＧ２が有するリブ高さのうち、挿入方向Ｋ１に沿ってほぼ一定となる値が、第２リブ高さＨＧ２である。各第３ガイドリブＧ３が有するリブ高さのうち、挿入方向Ｋ１に沿ってほぼ一定となる値が、第３リブ高さＨＧ３である。
【００４５】
各第１ガイドリブＧ１は、挿入方向Ｋ１に向けてリブ高さが第１リブ高さＨＧ１まで徐々に大きくなる斜面を、挿入方向Ｋ１の基端に備える。各第２ガイドリブＧ２もまた、挿入方向Ｋ１に向けてリブ高さが第２リブ高さＨＧ２まで徐々に大きくなる斜面を挿入方向Ｋ１の基端に備える。各第３ガイドリブＧ３もまた、挿入方向Ｋ１に向けてリブ高さが第３リブ高さＨＧ３まで徐々に大きくなる斜面を挿入方向Ｋ１の基端に備える。
【００４６】
ガイド壁４２Ｂの有する高さは、ガイド壁高さであり、挿通溝４２Ｈが位置する部位でのガイド壁高さと、第１リブ高さＨＧ１および第２リブ高さＨＧ２とは、ほぼ等しい。こうした第１ガイドリブＧ１は、挿通溝４２Ｈに向けてバンド端部１３が進むとき、バンド端部１３の対向面４２Ｓに対する位置を定め、バンド端部１３が挿通溝４２Ｈを円滑に通ることを可能とする。また、こうした第２ガイドリブＧ２は、操作体４１と支持体５１との隙間へ、挿入方向Ｋ１に沿ってバンド端部１３が挿し入れられるとき、バンド端部１３における幅方向ＡＷの中央部の対向面４２Ｓに対する位置を定め、バンド端部１３における幅方向ＡＷの中央部が、隙間に対して円滑に挿し入れられることを可能とする。
【００４７】
第３リブ高さＨＧ３は、第２リブ高さＨＧ２よりも大きく、一対の第３ガイドリブＧ３の幅方向ＡＷにおける距離は、リブ間幅ＷＧであって、バンド端部１３が有するバンド幅Ｗよりも若干小さい。こうした第３ガイドリブＧ３は、操作体４１と支持体５１との隙間へ、挿入方向Ｋ１に沿ってバンド端部１３が挿し入れられるとき、バンド端部１３における幅方向ＡＷの両端部の対向面４２Ｓに対する位置を定め、バンド端部１３の全体が円滑に隙間へ挿し入れられることを可能とする。すなわち、第２ガイドリブＧ２と第３ガイドリブＧ３とは、これらの協働によって、上述した形状を有する調整歯１３Ｂの全体が円滑に隙間へ挿し入れられることを可能とする。
【００４８】
対向面４２Ｓには、それの幅方向ＡＷにおける両端に樹脂ばね４３を備える。上下一対の樹脂ばね４３は、挿入方向Ｋ１とは反対方向である抜去方向Ｋ０に向けて延びる片持ち梁状を有する。上下一対の樹脂ばね４３は、一対の第１ガイドリブＧ１を幅方向ＡＷにおいて挟むように位置する。上下一対の樹脂ばね４３は、対向面４２Ｓから対向方向Ｋ２に立つ固定端４３Ｆを有し、固定端４３Ｆから樹脂ばね４３の自由端４３Ａまで対向面４２Ｓに沿って延びる。各樹脂ばね４３における屈曲部は、固定端４３Ｆの先端から自由端に向けて緩やかな弧を描く曲面を有する。各樹脂ばね４３が有する固定端４３Ｆは、操作体４１が支持体５１に対して傾動するときに、操作体４１の傾動中心として機能する。
【００４９】
各樹脂ばね４３は、それの自由端４３Ａが対向面４２Ｓから離れる方向へ変位することによって、対向面４２Ｓと自由端４３Ａとを相互に近付ける方向に対向面４２Ｓを付勢する。例えば、自由端４３Ａが支持体５１に留められ、かつ、固定端４３Ｆを傾動中心として操作端部４２Ａが傾動するとき、自由端４３Ａが対向面４２Ｓから離れる方向へ各樹脂ばね４３は変形する。そして、対向面４２Ｓを支持体５１に近づける方向へ、樹脂ばね４３は対向面４２Ｓを付勢する。
【００５０】
対向面４２Ｓには、それの幅方向ＡＷにおける両端に、対向方向Ｋ２に向けて延びる被規制片４４を備える。上下一対の被規制片４４は、上下一対の樹脂ばね４３よりも幅方向ＡＷの内側に位置する。上下一対の被規制片４４において対向方向Ｋ２の先端は、フック４４Ｆを備える。上下一対のフック４４Ｆは、被規制部の一例であって、幅方向ＡＷの外側に向けて折り曲げられた形状を有する。
【００５１】
対向面４２Ｓには、それの幅方向ＡＷにおける中央に、対向方向Ｋ２に向けて立つ留め歯４５を備える。留め歯４５は、幅方向ＡＷに延びる突条であり、それの幅方向ＡＷにおける中央に、対向方向Ｋ２とは反対方向に向けて窪む逃げ部４５Ａを備える。留め歯４５は、第２ガイドリブＧ２の挿入方向Ｋ１に位置し、第２ガイドリブＧ２と一体である。留め歯４５が対向方向Ｋ２に有する高さである歯高は、第１高さの一例であって、第２高さの一例である第２リブ高さＨＧ２よりも大きい。留め歯４５における挿入方向Ｋ１の厚みは、相互に隣接する調整歯１３Ｂの間隙とほぼ同じであり、逃げ部４５Ａにおける幅方向ＡＷの厚みは、補強部１３Ｔが幅方向ＡＷに有する厚みとほぼ同じである。
【００５２】
図６が示すように、操作体４１と支持体５１との隙間にバンド端部１３が位置するとき、留め歯４５の先端は、相互に隣接する調整歯１３Ｂの隙間に嵌り、挿入方向Ｋ１に並ぶ複数の調整歯１３Ｂのなかで、相互に隣接する１組の調整歯１３Ｂと噛み合う。また、各調整歯１３Ｂが有する歯高Ｔとほぼ同じ高さを有する補強部１３Ｔは、留め歯４５が有する逃げ部４５Ａに嵌る。そして、操作体４１に対するバンド端部１３の移動が、挿入方向Ｋ１および抜去方向Ｋ０において留まり、バンド留め具４０に対してバンド端部１３が留まる。
【００５３】
この状態から、例えば、図６の二点鎖線が示すように、固定端４３Ｆを傾動中心として操作端部４２Ａが傾動するとき、相互に隣接する調整歯１３Ｂの隙間から留め歯４５は外れ、逃げ部４５Ａから補強部１３Ｔも外れる。そして、操作体４１に対するバンド端部１３の移動が可能となる。この際、バンド端部１３が挿入方向Ｋ１へ挿し入れられると、第２ガイドリブＧ２と第３ガイドリブＧ３とは、各調整歯１３Ｂが留め歯４５に引っ掛かることを抑え、また、第１ガイドリブＧ１は、各調整歯１３Ｂがガイド壁４２Ｂに引っ掛かることを抑え、これらによって、バンド端部１３の挿し入れが円滑に進む。
【００５４】
なお、各調整歯１３Ｂにおける挿入方向Ｋ１の先端と、帯状部１３Ａの表面との形成する角度は、挿入角度θ１である。各調整歯１３Ｂにおける挿入方向Ｋ１の基端と、帯状部１３Ａの表面との形成する角度は、留め角度θ０である。挿入角度θ１は、留め角度θ０よりも十分に小さく、挿入角度θ１は例えば３０°であり、留め角度θ０は例えば９０°である。また、留め歯４５が調整歯１３Ｂの隙間に嵌る状態で、留め歯４５における挿入方向Ｋ１の側面と、調整歯１３Ｂの抜去方向Ｋ０の側面とは、例えば０°以上５°以下を形成する。こうした調整歯１３Ｂの構造は、操作体４１と支持体５１との隙間にバンド端部１３が挿し入れられるとき、樹脂ばね４３の付勢に抗して調整歯１３Ｂが留め歯４５を押し上げ、留め歯４５と支持体５１との隙間にバンド端部１３が挿し入れられやすい。反対に、こうした調整歯１３Ｂの構造は、調整歯１３Ｂが留め歯４５を抜去方向Ｋ０に通過し難く、留め歯４５と支持体５１との隙間が広げられない状態では、操作体４１と支持体５１との隙間からバンド端部１３が抜き去られ難い。
【００５５】
図７が示すように、操作体４１と支持体５１との隙間にバンド端部１３が位置するとき、挿入方向Ｋ１から見て、第２ガイドリブＧ２の先端と、各調整歯１３Ｂの幅方向ＡＷにおける中間部とが相互に対向するように、一対の第２ガイドリブＧ２が位置する。また、第３ガイドリブＧ３の先端と、帯状部１３Ａの幅方向ＡＷにおける端部とが相互に対向するように、一対の第３ガイドリブＧ３が位置する。そして、第２ガイドリブＧ２と調整歯１３Ｂとの間隙と、第３ガイドリブＧ３と調整歯１３Ｂとの間隙とが相互にほぼ等しくなるように、第２リブ高さＨＧ２と第３リブ高さＨＧ３とが設定される。
【００５６】
ここで、固定端４３Ｆを傾動中心として操作体４１が傾動するとき、操作端部４２Ａの対向方向Ｋ２とは、操作体４１と支持体５１との隙間のなかで、操作体４１と支持体５１との間隙が広がる領域である。このように間隙が広がる領域は、操作体４１と支持体５１との隙間のなかで、バンド端部１３が挿し入れられる操作の領域、また、バンド端部１３が引き出される操作の領域として適している。そして、このように間隔が広がる領域に留め歯４５、第２ガイドリブＧ２、および、第３ガイドリブＧ３が位置する。そのため、留め歯４５と対向する位置までバンド端部１３を挿し入れる操作や、留め歯４５と対向する位置からバンド端部１３を抜き去る操作など、これらの操作を容易なものとすることが可能となる。
【００５７】
図８が示すように、支持体５１は、バンド端部１４の端に位置するほぼ矩形板状を有した支持本体５２を備え、支持本体５２が有する１つの側面は、第１面の一例であって対向面４２Ｓと対向した支持面５２Ｓである。支持本体５２の延びる方向は、挿入方向Ｋ１であってバンド端部１４の延在方向でもある。
【００５８】
支持本体５２における挿入方向Ｋ１の先端は、対向方向Ｋ２とは反対方向に支持面５２Ｓから立つバンドガイド５２Ｃを備える。バンドガイド５２Ｃは、それの幅方向ＡＷの中央に、上述したバンド幅Ｗよりも大きい幅を有する挿通孔を備える。支持本体５２における挿入方向Ｋ１の基端は、支持端部５２Ａである。操作体４１と支持体５１との隙間にバンド端部１３が挿し入れられるとき、この支持端部５２Ａに沿って移動するバンド端部１３がバンドガイド５２Ｃの挿通孔を通る。また、操作体４１と支持体５１との隙間からバンド端部１３が抜き去られるとき、バンドガイド５２Ｃの挿通孔から抜き去られるバンド端部１３が支持端部５２Ａに沿って移動する。
【００５９】
支持面５２Ｓには、それの幅方向ＡＷにおける両端に、操作体４１に向けて立つ軸支部５２Ｂを備える。上下一対の軸支部５２Ｂは、幅方向ＡＷにおいてバンド幅Ｗよりも大きい隙間Ｗ５１を空け、一対の軸支部５２Ｂの間をバンド端部１３が挿入方向Ｋ１および抜去方向Ｋ０へ移動することを許容する。各軸支部５２Ｂは、支持面５２Ｓから操作体４１に向けて立つ凹曲面である軸支面５３Ｆを有する。上下一対の軸支面５３Ｆは、軸支部５２Ｂの一部であって、支持面５２Ｓにおける幅方向ＡＷの両端に位置する壁によって挟まれている。そして、操作体４１が支持体５１に取り付けられた状態では、各樹脂ばね４３の固定端４３Ｆを軸支面５３Ｆが支持する。また、各樹脂ばね４３の固定端４３Ｆを軸支部５２Ｂが有する幅方向ＡＷの壁が支持し、操作体４１が支持体５１に対して幅方向ＡＷに変位し、それによってがたつくこと、さらには、支持体５１に対して操作体４１が外れることを抑える。
【００６０】
支持面５２Ｓには、それの幅方向ＡＷにおける両端に、操作体４１に向けて立つ第１掛け留め部５３と、第２掛け留め部５３Ａとを備える。上下一対の第１掛け留め部５３、および、上下一対の第２掛け留め部５３Ａは、幅方向ＡＷにおいて隙間Ｗ５１とほぼ等しい幅を空け、一対の掛け留め部５３，５３Ａの間をバンド端部１３が挿入方向Ｋ１および抜去方向Ｋ０へ移動することを許容する。
【００６１】
一対の第１掛け留め部５３は、操作体４１に向けた先端に、幅方向ＡＷの外側に向けて折り曲げられた形状を有するフックを備える。一対の第２掛け留め部５３Ａは、操作体４１に向けた先端に、幅方向ＡＷの内側に向けて折り曲げられた形状を有するフック５４Ｆを備える。支持面５２Ｓのなかで、第１掛け留め部５３のフックと対向する部分、および、第２掛け留め部５３Ａのフック５４Ｆと対向する部分は、支持面５２Ｓを貫通する孔を有する。支持面５２Ｓが有するこれらの孔は、各掛け留め部５３，５３Ａのフックが形成される際に、金型が抜かれる孔として機能する。そして、操作体４１が支持体５１に取り付けられた状態では、樹脂ばね４３における挿入方向Ｋ１のほぼ中央と第１掛け留め部５３とが係合し、また、樹脂ばね４３における自由端４３Ａと第２掛け留め部５３Ａとが係合し、各樹脂ばね４３における幅方向ＡＷの両側が、各掛け留め部５３，５３Ａによって掛け留めされる。それによって、樹脂ばね４３が対向面４２Ｓに近づくことを、これら２種類の掛け留め部５３,５３Ａが規制する。
【００６２】
支持面５２Ｓには、それの幅方向ＡＷにおける両端に、操作体４１に向けて立つ規制片５４を備える。上下一対の規制片５４の先端は、規制部の一例であるフックであって、幅方向ＡＷの内側に向けて折り曲げられた形状を有する。そして、操作体４１が支持体５１に取り付けられた状態では、規制片５４が有するフックの対向方向Ｋ２に、被規制片４４のフック４４Ｆが位置する。
【００６３】
支持面５２Ｓには、それの幅方向ＡＷにおける両端に、操作体４１に向けて立つバンドガイド５１Ｇを備える。上下一対のバンドガイド５１Ｇにおける対向方向Ｋ２の先端は、支持面５２Ｓから離れている。上下一対のバンドガイド５１Ｇは、幅方向ＡＷにおいて隙間Ｗ５１よりも若干小さい幅を空け、各バンドガイド５１Ｇと支持面５２Ｓとの隙間を、バンド端部１３の両端部が移動することを許容する。
支持面５２Ｓは、それの幅方向ＡＷにおける両端に、操作体４１に向けて立つリブガイド５５を備える。上下一対のリブガイド５５は、操作体４１が支持体５１に取り付けられた状態で、上下一対の第３ガイドリブＧ３の外側壁面と接するように位置する。一対のリブガイド５５は、操作体４１が支持体５１に取り付けられた状態で、また、操作体４１が支持体５１に対して傾動するとき、操作体４１が支持体５１に対して幅方向ＡＷに変位し、それによってがたつくこと、さらには、支持体５１に対して操作体４１が外れることを抑える。
【００６４】
図９が示すように、操作体４１と支持体５１との隙間にバンド端部１３が位置するとき、一対の軸支部５２Ｂ、一対の第１掛け留め部５３、および、一対の第２掛け留め部５３Ａの隙間にバンド端部１３が通され、また、バンドガイド５２Ｃが有する挿通孔にバンド端部１３が通される。そして、バンド端部１３の幅方向ＡＷにおける両端部は、バンドガイド５１Ｇと支持面５２Ｓとの間に入り込み、それによって、バンド端部１３が支持面５２Ｓから離れることが抑えられる。
【００６５】
図１０が示すように、操作体４１が支持体５１に取り付けられた状態では、各樹脂ばね４３の固定端４３Ｆは、支持面５２Ｓが備える軸支面５３Ｆに支持される。各固定端４３Ｆにおいて軸支面５３Ｆに支持される曲面は、操作体４１と支持体５１との隙間が広げられるとき、その曲面の曲率半径を拡大させるような応力を受ける。この際、固定端４３Ｆの有する曲面に対して、それの径方向の外側に軸支面５３Ｆが位置するため、上述した応力を固定端４３Ｆのみが受ける構成と比べて、固定端４３Ｆに対する機械的な負荷が軽減される。
【００６６】
また、各樹脂ばね４３における挿入方向Ｋ１のほぼ中央や、各樹脂ばね４３の自由端４３Ａは、２種類の掛け留め部５３,５３Ａが有するフックによって、それの対向面４２Ｓに向けた変位が規制される。そして、操作体４１と支持体５１との隙間にバンド端部１３が挿し込まれたり、操作体４１が傾動されたりすると、操作体４１と支持体５１との隙間が広げられる。この際、樹脂ばね４３の全体が対向面４２Ｓに近づくことが、樹脂ばね４３と各掛け留め部５３,５３Ａとの係合によって規制され、樹脂ばね４３のばね力が対向面４２Ｓを支持面５２Ｓに向けて付勢する。
【００６７】
また、操作体４１が有する被規制片４４のフック４４Ｆは、支持体５１が有する規制片５４のフックよりも、対向方向Ｋ２に位置する。被規制片４４が有するフック４４Ｆと、支持体５１が有する規制片５４のフックとの対向方向Ｋ２における距離は、許容最大値ＨＳである。そして、操作体４１と支持体５１との隙間がさらに広げられるとき、被規制片４４が有するフック４４Ｆと、支持体５１が有する規制片５４のフックとの距離が縮まり、最後には、被規制片４４が有するフック４４Ｆと、支持体５１が有する規制片５４のフックとが当接して、操作体４１の傾動が規制される。これによって、操作体４１と支持体５１との隙間の大きさが傾動許容範囲の最大値である許容最大値ＨＳを超えることを、規制片５４と被規制片４４とが止める。
【００６８】
図１１が示すように、バンドガイド５１Ｇが有する挿入方向Ｋ１側の側面は、挿入方向Ｋ１および対向方向Ｋ２に対して傾きを有する斜面である。また、被規制片４４が有する抜去方向Ｋ０側の側面もまた、挿入方向Ｋ１および対向方向Ｋ２に対して傾きを有する斜面である。これらバンドガイド５１Ｇが有する挿入方向Ｋ１側の側面と、被規制片４４が有する抜去方向Ｋ０側の側面とは、ほぼ平行であり、操作体４１が支持体５１に取り付けられた状態で相互に対向する。
【００６９】
操作体４１と支持体５１との隙間が広げられるとき、バンドガイド５１Ｇの有する挿入方向Ｋ１側の斜面に対して被規制片４４が摺動する。また、操作体４１と支持体５１との隙間が狭まるときも、バンドガイド５１Ｇの有する挿入方向Ｋ１側の斜面に対して被規制片４４が摺動する。これによって、操作端部４２Ａによる操作体４１の操作方向は、上述の斜面が有する傾きに定められ、こうした操作の案内がない構成と比べて、操作から受ける樹脂ばね４３の負荷を許容範囲に収めることが可能ともなる。
以上、上記実施の形態によれば、以下に列挙する効果が得られる。
【００７０】
（１）バンド端部１３に対する押圧とその解除とが２つの樹脂部材である操作体４１と支持体５１とによって実現されるため、ヘッドバンド用留め具の部材の点数を少なくすることが可能である。
【００７１】
（２）支持体５１に対する操作体４１の傾動は、規制片５４と被規制片４４とが係合することによって、傾動許容範囲を超えないように規制される。それゆえに、操作体４１と支持体５１との隙間からバンド端部１３を抜き去る操作を利用者に円滑に行わせることが可能となる。
【００７２】
（３）操作体４１と支持体５１との隙間のなかで間隔が広がる領域に、留め歯４５、第２ガイドリブＧ２、および、第３ガイドリブＧ３が位置する。それゆえに、留め歯４５と対向する位置までバンド端部１３を挿し入れる操作、留め歯４５と対向する位置からバンド端部１３を抜き去る操作、これらの操作を容易なものとすることが可能となる。
【００７３】
（４）バンド端部１３を構成する帯状部１３Ａが、環形状に追従した曲面状を有し、また、バンド端部１３を構成する複数の調整歯１３Ｂが、同じく環形状に追従した曲線状を有する補強部１３Ｔによって結ばれる。それゆえに、バンド端部１３の全体が有する形状を環形状に追従させることが容易でもある。
【００７４】
なお、上記実施形態は以下のように変更して実施することができる。
［バンド端部］
・２つのバンド端部１３，１４の少なくとも一方は、それが十分に高い可撓性を有し、バンド本体部１０に対する平面視において直線状を有してもよい。例えば、バンド端部１４は、バンド本体部１０が作る環形状に沿った曲面状を有し、これに対し、バンド端部１３は、バンド本体部１０に対する平面視において直線状を有してもよい。
【００７５】
・バンド端部１３から補強部１３Ｔが省略されてもよい。補強部１３Ｔが省略されたバンド端部１３であれば、複数の調整歯１３Ｂの構造を簡素なものとすることが可能であるから、ヘルメット用ヘッドバンドの製造に要する負荷を軽減することが可能でもある。
【００７６】
・バンド端部１４を構成するバンド本体と支持体５１とは、別部材であってもよい。バンド端部１４を構成するバンド本体と支持体５１とが別部材であれば、一対のバンド端部を相互に留めることに特化した構造をバンド留め具４０に採用することが容易ともなる。
【００７７】
［ガイドリブ］
・第１ガイドリブＧ１、第２ガイドリブＧ２、および、第３ガイドリブＧ３の有する形状は、各調整歯１３Ｂの形状に合わせて適宜変更されるものである。例えば、各調整歯１３Ｂの有する歯高が、幅方向ＡＷの中央よりも幅方向ＡＷの両端で大きい構成では、第１リブ高さＨＧ１や第２リブ高さＨＧ２よりも第３リブ高さＨＧ３が大きいことが好ましい。
【００７８】
・操作体４１と支持体５１との隙間にバンド端部１３が挿し入れられるときに、調整歯１３Ｂが支持体５１に向けて立つように配置される構成では、第１ガイドリブＧ１、第２ガイドリブＧ２、および、第３ガイドリブＧ３は支持面５２Ｓに備えられることが好ましい。
【００７９】
・第１ガイドリブＧ１、第２ガイドリブＧ２、および、第３ガイドリブＧ３の少なくとも１つが割愛されてもよい。ガイドリブが割愛される構成であれば、操作体４１の構造の簡素化を図ることが可能である。
・バンドガイド５１Ｇが支持体５１から割愛されてもよく、こうした構成であれば、支持体５１が有する構造の簡素化を図ることが可能であって、支持体５１を形成するための金型の簡素化を図ることが可能でもある。
【００８０】
［留め歯］
・操作体４１と支持体５１との隙間にバンド端部１３が挿し入れられるときに、調整歯１３Ｂが支持体５１に向けて立つように配置される構成では、留め歯４５が支持面５２Ｓに備えられることが好ましい。すなわち、留め歯４５を備える樹脂部材と、樹脂ばね４３を備える樹脂部材とが別々の部材であってもよい。
【００８１】
［樹脂ばね］
・各樹脂ばね４３が支持体５１に備えられ、軸支部５２Ｂが操作体４１に備えられる構成であってもよい。また、各樹脂ばね４３は、相互に異なる形状であってもよく、各樹脂ばね４３を支持面５２Ｓに留める構造もまた、相互に異なってもよい。さらに、２つの樹脂ばね４３のうちで一方の樹脂ばね４３が操作体４１から割愛され、かつ、その樹脂ばね４３を支持面５２Ｓに留めるための構造が支持体５１から割愛されてもよい。
【００８２】
・第１掛け留め部５３と第２掛け留め部５３Ａとのいずれか一方が割愛されてもよい。第１掛け留め部５３と第２掛け留め部５３Ａとの双方を備える構成であれば、各樹脂ばね４３の位置の安定性を確保することが容易であり、第１掛け留め部５３と第２掛け留め部５３Ａとのいずれか一方が割愛される構成であれば、ヘッドバンド留め具の構成を簡素化することが可能である。
【００８３】
・樹脂ばね４３を支持面５２Ｓに留める構造は、第１掛け留め部５３や第２掛け留め部５３Ａのように、上下一対の樹脂ばね４３を幅方向ＡＷで挟む構造に限らず、上下一対の樹脂ばね４３の間に位置する構造であってもよい。また、樹脂ばね４３の固定端４３Ｆを支持する軸支構造もまた、上下一対の軸支部５２Ｂのように、上下一対の樹脂ばね４３を幅方向ＡＷで挟む構造に限らず、上下一対の樹脂ばね４３の間に位置する構造であってもよい。
【００８４】
例えば、図１２が示すように、支持面５２Ｓには、バンド端部１３における幅方向ＡＷの両側を挟む上下一対のガイド壁５６が備えられる。一対のガイド壁５６は、支持面５２Ｓから対向面４２Ｓに向けて立ち、かつ、挿入方向Ｋ１に沿って延びる。そして、一対のガイド壁５６を上下一対の樹脂ばね４３が挟むように、操作体４１が支持体５１に取り付けられる。こうした構成においては、第１掛け留め部５３や第２掛け留め部５３Ａのように、樹脂ばね４３を支持面５２Ｓに留めるためのフックが、各ガイド壁５６に備えられてもよい。また、軸支部５２Ｂのように、樹脂ばね４３の固定端４３Ｆを支持するための軸支面５３Ｆが、各ガイド壁５６に備えられてもよい。
【００８５】
さらに、上記構成においては、ガイド壁５６を幅方向ＡＷに沿って貫通する嵌合孔５６Ｈを各ガイド壁５６が備え、この嵌合孔５６Ｈに嵌合する嵌合突起４３Ｐを各樹脂ばね４３が備え、ガイド壁５６の嵌合孔５６Ｈと樹脂ばね４３の嵌合突起４３Ｐとの嵌合によって、各樹脂ばね４３が支持面５２Ｓに留められてもよい。こうした構成であれば、樹脂ばね４３を支持面５２Ｓに留めるためのフックを割愛することが可能であるため、フックを形成するための金型が抜かれる孔も支持本体５２から割愛することが可能であるから、こうした孔に利用者の頭髪が入り込むことも抑えられる。
【００８６】
［規制片］
・図１２が示すように、支持面５２Ｓには、上述した状態一対のガイド壁５６が備えられ、上下一対の規制片５４はガイド壁５６から幅方向ＡＷの外側に向けて延びる構造体であってもよい。この際、操作体４１が備える周壁には、幅方向ＡＷの内側に向けて延びる被規制片４４が備えられる。
【符号の説明】
【００８７】
Ｃ…中心軸、Ｔ…歯高、Ｗ…バンド幅、Ａ１…延在方向、Ａ２…内側方向、ＡＷ…幅方向、Ｇ１…第１ガイドリブ、Ｇ２…第２ガイドリブ、Ｇ３…第３ガイドリブ、ＨＳ…許容最大値、Ｋ０…抜去方向、Ｋ１…挿入方向、Ｋ２…対向方向、ＷＧ…リブ間幅、ＨＧ１…第１リブ高さ、ＨＧ２…第２リブ高さ、ＨＧ３…第３リブ高さ、１０…バンド本体部、１１…バンド中央部、１２…バンド連結部、１３…バンド端部、１３Ａ…帯状部、１３Ｂ…調整歯、１３Ｔ…補強部、１４…バンド端部、２０…取付部、２２…取付環状部、２３…取付可撓部、２４…留め部、３０…帽体、４０…ヘッドバンド用留め具、４１…操作体、４２…操作本体、４２Ａ…操作端部、４２Ｂ…ガイド壁、４２Ｓ…対向面、４３…樹脂ばね、４３Ａ…自由端、４３Ｆ…固定端、４３Ｐ…嵌合突起、４４…被規制片、４５…留め歯、４５Ａ…逃げ部、５１…支持体、５１Ｇ…バンドガイド、５２…支持本体、５２Ａ…支持端部、５２Ｂ…軸支部、５２Ｃ…バンドガイド、５２Ｓ…支持面、５３…第１掛け留め部、５３Ａ…第２掛け留め部、５３Ｆ…軸支面、５４…規制片、５５…リブガイド、５６…ガイド壁、５６Ｈ…嵌合孔。
【図１】
0006676926.tif 000002
【図２】
0006676926.tif 000003
【図３】
0006676926.tif 000004
【図４】
0006676926.tif 000005
【図５】
0006676926.tif 000006
【図６】
0006676926.tif 000007
【図７】
0006676926.tif 000008
【図８】
0006676926.tif 000009
【図９】
0006676926.tif 000010
【図１０】
0006676926.tif 000011
【図１１】
0006676926.tif 000012
【図１２】
0006676926.tif 000013